(57)【要約】      （修正有）【課題】多様な場所に設置可能な小型フレーム額縁を提供する。【解決手段】立てて飾るための板状の脚に穴と、それに僅かな隙間で嵌合する台を設ける。脚を完全に広げた状態でその裏側左右に、穴を渡すようにセロファンテープを貼り付け、そのまま脚を収納すれば台がセロファンテープを押し上げ粘着部が外に出て嵌合部で挟み固定され、押し付けるだけで何処にでも設置可能になる。それとは別に飾れる写真類と同サイズの窓を開ける。完全に脚を広げた状態でトリミング、カットしたい写真や絵に当て嵌めて見て、決まったらそのままカットするか、筆記用具で印し鋏で切る。左右の挿入口と指で調整できる穴を設けたことで、子供でも簡単短時間に入れ換えができる。【選択図】図２
0003148905.tif 000002
【実用新案登録請求の範囲】
【請求項１】
小型フレーム額縁において、額縁の背面上部より、蝶番を介して一部空間を有し、Ｖ字状に繋がる板状の脚を設け、その空間に脚を収納した時に僅か隙間で嵌合し、脚の外面と同等以上の高さになり、粘着テープが粘着面を外側にしてその嵌合部分で固定されるセロファンテープ台を設け、額縁本体奥、写真や絵が飾られる場所の少なくとも左右一方にその挿入口を設け、更に写真や絵が飾られる場所の裏面にあたる本体後部に、取り外しや挿入、位置調整を簡単にするための穴を設けた、多様の場所に設置可能な小型フレーム額縁
【請求項２】
板状の脚に、請求項１の穴とは別に、好きな写真などが飾れる大きさとトリミングの場所を決めカットする為の、挿入できるサイズと同じサイズの長方形の窓、トリミング定規を設けた請求項1の多様の場所に設置可能な小型フレーム額縁  
【考案の詳細な説明】
【技術分野】
【０００１】
本考案は磁石や吸盤でも取り付けられない場所に、左右上下を問わず、その場所を傷付けることなく、密着状に取り付けられ、引っ張るだけで簡単に取り外せて跡が残りにくく、更に平らな場所にも縦横どちらでも置け、飾りたい写真などのトリミング位置も簡単に分かり、その定規を使うことで額に嵌るサイズに簡単にカットでき、写真などの入れ替えが簡単な、今までのフレームや額縁のイメージを一新させる小型フレーム額縁を提供する。
【背景技術】
【０００２】
従来、額は絵や写真に合わせて購入するか、有るフレームや額縁の中から入るものを探すのが一般的で、一度入れたら長期間入れ替えないのが普通だ。小型のフレーム額類でも、絵、写真を入れ替えるのが面倒な構造のものばかりだった。更に小型フレーム額は、机や棚に置いて飾るように出来ているのが一般的で、額を貼り付けて飾れるとしても、ネジやピン、吸盤を介してぶら下げるか磁石で吸着させるしかなかった。
【特許文献１】特表２００６−５１２１４２
【考案の開示】
【考案が解決しようとする課題】
【０００３】
ネジや吸盤、磁石では取り付けられない場所に軽いものを取り付けたいと考えた場合、セロファンテープを接着面を外にして輪を作って取り付ける方法は良く使われるが、輪を作るのが面倒で、もっと簡単確実に出来る方法がないかと考えた。更に小さいので写真や雑誌などから簡単にトリミング位置が決められ、簡単にその小型額に入る大きさに正確にカットでき、入れ替えが簡単になればカレンダーのように季節毎に、或いは気分を変えたい時に直ぐに入れ替えられる小型額のイメージが一新する新しいタイプのものが出来ると考えた。
【課題を解決するための手段】
【０００４】
先ず机や飾り棚に縦でも横でも置いて飾れるように裏側上部から簡易蝶番を介して逆Ｖ字型となるような板状の脚を設けた。このままだと縦に飾る場合に垂直に立ってしまうのを避けるために脚の一部を斜めにカットした。セロファンテープが本体の裏側に接着面が外側になるようにしっかりと取り付けられればそれで少なくともセロファンテープで取り付けられるところには取り付け可能になる。その為に脚収納時に裏面の外側来る板状の脚に穴を開け、その穴の左右が僅かな隙間で嵌合し、その脚面と同じか僅かに高くなるセロファンテープの台を設けた。これは金型成型の種類により、図のように本体に蝶番を通して取り付けるか、本体に凸部を設けてもその効果は同じだ。
【０００５】
その脚の裏側、本体に接する面の開けた穴の両側にセロファンテープを橋を渡すように貼って止め、その脚を閉じることにより、その穴に渡したセロファンテープをセロファンテープ台が押し上げ、貼って止めてある部分を引っ張りその脚の面より僅かに外側に出て嵌合部分で固定される。セロファンテープは、両側の嵌合などで台に接着面を外に出してしっかり固定されるので、そのまま押し付けるだけで取り付けられるだけでなく、単に引っ張るだけで簡単にとり外せて跡も残りにくくなる。勿論そのフレーム額の大きさや重さにより他の素材の粘着テープでないと落下する心配もあるのでそれらを使用することになるが、不適当の粘着テープもあり、ここでは解り易いようにセロファンテープとして説明している。
【０００６】
一方写真などをこの小型額に嵌めこみ飾りたいと考えた時、画面が小さいので殆どの場合、トリミングして嵌め込む場合が非常に多いと考えた。然しトリミングの位置を決め、その位置そのサイズで切り取るのはかなり面倒な作業であり、後でもっと別な位置の方が良かったと思っても後の祭り、カットを決める以前に確実にトリミング位置とカットする位置を決められる方法として板状の脚に同じサイズの窓を開けることによって写真や絵に当て嵌めて見て位置が確認出来、その穴の枠を定規としてカットすれば非常に簡単確実になると考えた。
【０００７】
カットした絵や写真を簡単に嵌め込み飾る方法としてカットされた絵や写真を額縁の後ろの左右から指を使いスライドさせて挿入する方法を考えた。更に同じ指を使い背面の穴を利用して前面からでも簡単に入れ替えられる構造にした。
【考案の効果】
【０００８】
小さいので邪魔にならず、飾り棚や机上に縦でも横でも立てて飾れるだけでなく、従来飾ることが出来なかった壁紙面、傷を避けたい柱、布貼りのパーテーションなど、セロファンテープが使えるところなら何処でも貼り付けて飾れ、取り外しが簡単、跡も残りにくくなった。更ににもいろいろな写真や絵、書、イラストなど簡単にトリミング位置が決められるだけでなくカット定規も兼ねているので思い立った時に気楽に額に嵌め込んで楽しむことも可能になった。貴重な写真や大き過ぎて入り切れない場合は、コピーを利用すれば良い。
【考案を実施するための最良の形態】
【０００９】
額縁の絵が入る部分の裏側に指で絵を移動調節する為の穴（３）を設け、左右両側に絵や写真を挿入し固定できる凸部を有するスリット（４）を設けた。図では示さなかったが、この凸部が絵又は写真が左右に動いてしまうのを防ぐ。一方額縁の裏側上部には柔軟タイプのプラスチックの特性を利用した簡易蝶番（５）を介して、一方を斜めに欠いた（７）板状の脚（６）を設けた。この脚を利用して横に置くだけでなく欠いた脚の下部横（７）を利用することにより縦に置いても垂直に立ってしまうのを防いだ。更にこの板状の脚に穴（８）を空けた。この穴の左右の裏側、即ち本体に接する側がセロファンテープの両端を固定する個所となる（図４）。この穴と僅かな隙間を設けて嵌合して僅かに外に出る表面が平面のセロファンテープ台（９）を設けた。この台が脚を収納しただけで両端を固定されたセロファンテープを引っ張り粘着側が上になり、この台の上表面に固定される（図５）。その為にこの台を本体と一体になる凸部としても良いが、この場合脚と同じように簡易蝶番を介して本体と接続し、この部品の下部が本体と接し、脚収納時に本体の凸部状になるようにした。これにより脚を完全に開いた状態にして空間を渡すように両側でセロファンテープでしっかり押さえて貼り、その状態で脚を本体に収納すると凸部状態になっている台がそのセロファンテープを引っ張り押し上げ、その粘着部分が外に出て嵌合部分で固定、壁や柱などに押しつけるだけで何処でも飾ることが出来、引っ張るだけで取り外すことが出来る。
【００１０】
これとは別に板状の脚に、挿入する絵や写真と同寸法の窓（１０）を開けた。脚を完全に開いた状態にしてトリミングしたい絵や写真に当ててみるだけで、飾るに値するかの判断が出来、その位置に印を付けたりカッターで直接カットすることが出来る（図６）。一般的に大まかに場所を決め、正確にカットするのは想像以上にうまく行かず、失敗も多いが、これを使うことにより最適な個所が簡単に見付かり、そのままカットも出来る。図では示さなかったが、この窓の上下部分を下部に広くなるように斜めに削り、カッターでカットする時は刃を垂直に使い、筆記用具で印を付ける時は斜めに書くようにし、その僅かに内側を鋏で切れば記した跡が残らない。
【図面の簡単な説明】
【００１１】
【図１】本体の正面斜視図
【図２】本体の背面斜視図
【図３】脚を完全に開いての説明図
【図４】セロファンテープを貼り付けた図
【図５】セロファンテープを貼り付け脚を収納した背面図
【図６】脚を完全に開きトリミング個所を決めている図
【符号の説明】
【００１２】
１  フレーム
２  絵又は写真
３  絵又は写真を指で位置調整するための穴
４  絵や写真の挿入口
５  簡易蝶番
６  板状の脚
７  縦に使う時に垂直にならないために欠いた部分
８  セロファンテープを９で挟み込むための穴      
９  セロファンテープ台
１０  トリミングを決め、カットのスケールにもなる窓
１１  セロファンテープ
１２  セロファンテープの粘着面
【図１】
0003148905.tif 000003
【図２】
0003148905.tif 000004
【図３】
0003148905.tif 000005
【図４】
0003148905.tif 000006
【図５】
0003148905.tif 000007
【図６】
0003148905.tif 000008